(57)【要約】【課題】記録媒体を媒体配置位置に確実に吸着させるとともに、吸着をすばやく解除することができる吸着装置、および画像読取装置を提供することを目的とする。【解決手段】表から裏まで貫通した貫通孔が穿たれた、シート状の記録媒体が配置される媒体配置板と、媒体配置板の裏側に吸気端が接し、吸気端と排気端との間を流れる空気を導く導管と、導管内に位置し、導管の吸気端から排気端へと空気を送って媒体配置板の貫通孔から空気を吸引することにより、媒体配置板の表に配置された記録媒体を媒体配置板に吸着させるファンと、導管の排気端を開放して記録媒体の吸着を活かし、排気端を塞いで吸着を解くシャッタとを備えた。【選択図】        図２
2005239319.tif 000002
【特許請求の範囲】
【請求項１】
表から裏まで貫通した貫通孔が穿たれた、該表にシート状の記録媒体が配置される媒体配置板と、
吸気端と排気端とを有して空気の流れを導く、前記媒体配置板の裏側に該吸気端が接した導管と、
前記導管内に位置し、該導管の吸気端から排気端へと空気を送って前記媒体配置板の貫通孔から空気を吸引することにより、該媒体配置板の表に配置された記録媒体を該媒体配置板に吸着させるファンと、
前記導管の排気端を開放して前記記録媒体の吸着を活かし、排気端を塞いで該吸着を解くシャッタとを備えたことを特徴とする吸着装置。
【請求項２】
前記シャッタが、開閉する扉であることを特徴とする請求項１記載の吸着装置。
【請求項３】
前記導管が、前記排気端に、複数の排気孔が穿たれた穿孔板を有するものであり、
前記シャッタが、前記複数の排気孔それぞれに相応する複数の通気孔が穿たれて、前記穿孔板に沿って配置されたマスク板と、該マスク板を該穿孔板に沿って移動させる移動機構とを有し、前記通気孔と前記排気孔とを揃えることによって前記排気端を開放し、該通気孔と該排気孔とをずらすことによって排気端を塞ぐものであることを特徴とする請求項１記載の吸着装置。
【請求項４】
表から裏まで貫通した貫通孔が穿たれた、該表にシート状の記録媒体が配置される媒体配置板と、
吸気端と排気端とを有して空気の流れを導く、前記媒体配置板の裏側に該吸気端が接した導管と、
前記導管内に位置し、該導管の吸気端から排気端へと空気を送って前記媒体配置板の貫通孔から空気を吸引することにより、該媒体配置板の表に配置された記録媒体を該媒体配置板に吸着させるファンと、
前記導管の排気端を開放して前記記録媒体の吸着を活かし、排気端を塞いで該吸着を解くシャッタと、
前記媒体配置板に吸着された記録媒体上に記録された画像を読み取って、該画像を表わす画像データを生成する画像読取部とを備えたことを特徴とする画像読取装置。
【発明の詳細な説明】
【技術分野】
【０００１】
本発明は、シート状の記録媒体を媒体配置板に吸着させる吸着装置、および媒体配置板に吸着された記録媒体上に記録された画像を読み取って、画像を表わす画像データを生成する画像読取装置に関する。
【背景技術】
【０００２】
近年、デジタルカメラの普及に伴って、撮影画像をデジタル化して扱うことが広範に行われている。撮影画像をデジタル化することによって、撮影画像をプリント出力するラボ側では、デジタル化された撮影画像（撮影画像データ）にパーソナルコンピュータ等を使って画像処理を施し、撮影画像の不具合を修正するなどといった付加サービスを提供することができる。また、ユーザ側においては、汎用のアルバムソフト等を使用することによって、パーソナルコンピュータ上で複数枚の撮影画像を容易に整理することができるうえ、それら複数枚の撮影画像をまとめてハードディスク等に記録しておくことによって、保管の際にかさ張らず、撮影画像を高画質なままで保管することができるなどという利点がある。
【０００３】
ところで、各家庭では、アルバムへの整理が煩雑な写真は、ラボから受け取った状態のまま死蔵されていることが多い。また、死蔵されている写真の中には、フィルムが紛失してしまって焼き増しができないものや、変色して画像が劣化してしまっているもある。撮影画像をデジタル化する利点が広く認められるのに伴い、近年では、このように死蔵されてしまいがちな写真の撮影画像も、デジタル化して画質を維持したり、パソコン上で管理したいなどという要望が高まっている。
【０００４】
上記の要望は、写真の撮影画像をスキャナ等で読み取って、撮影画像をデジタル化することによって解決することができる。この画像読取サービスをラボ側で行う場合、従来のフラットベットスキャナのように、画像読取位置に原稿を１枚ずつ手動でセットする方式の画像読取装置では手間と時間がかかってしまうため、複数枚の写真を集積しておき、集積した中から写真を１枚ずつ取り出して画像読取位置にセットする搬送手段を備えた画像読取装置を使用することが考えられる。このような画像読取装置を使用することによって、写真上の撮影画像を読み取って撮影画像データを生成するまでの一連の処理時間と手間を軽減させることができる。
【０００５】
ここで、例えば、カールしている記録媒体をそのまま画像読取位置にセットして画像を読み取ると、カールした部分の画像が歪んでしまって読み取り精度が劣化してしまう。したがって、画像を読み取るときには、記録媒体を画像読取位置にぴったりと吸着させて、記録媒体のカールを伸ばす必要がある。この点に関し、特許文献１には、記録媒体が配置されている画像配置板の裏側にコンプレッサを備え、そのコンプレッサで記録媒体を画像配置板上に吸着させる方法について記載されている。
【特許文献１】特開２００１−１９９５８９号公報
【発明の開示】
【発明が解決しようとする課題】
【０００６】
しかし、コンプレッサは、一旦真空状態が出来れば十分に強い吸引力を発揮するが、記録媒体が浮いて真空状態が解けると大幅に吸引力が低下するため、記録媒体のカールがきつい場合には、そのカール部分を引き寄せて真空状態を形成することができず、記録媒体を十分に吸着することができない。このため、記録媒体を吸着するための吸引手段として、コンプレッサよりも吸引力が大きいファンを用いることが考えられる。また、コストの点においても、コンプレッサよりもファンの方が優れているという利点もある。
【０００７】
ところが、記録媒体上の画像の読み取りが終了すると、記録媒体の吸着を解除して、記録媒体を別の記録媒体と交換する必要がある。吸引手段としてファンを使用する場合、記録媒体の吸着を解除する一般的な方法としては、例えば、ファンの電源をＯＦＦにして空気の吸引を停止させることなどが考えられる。しかし、ファンの電源をＯＦＦにしてもファンの回転は急には停止しないため、記録媒体の吸着を解除するのに時間がかかってしまい、処理時間が増加してしまうという問題がある。
【０００８】
また、このような問題は、画像を読み取る画像読取装置に限って生じる問題ではなく、シート状の記録媒体を吸着させる吸着装置を用いる分野一般で生じる問題である。
【０００９】
本発明は、上記事情に鑑み、記録媒体を媒体配置位置に確実に吸着させるとともに、吸着をすばやく解除することができる吸着装置、および画像読取装置を提供することを目的とする。
【課題を解決するための手段】
【００１０】
上記目的を達成する本発明の吸着装置は、表から裏まで貫通した貫通孔が穿たれた、表にシート状の記録媒体が配置される媒体配置板と、
吸気端と排気端とを有して空気の流れを導く、媒体配置板の裏側に吸気端が接した導管と、
導管内に位置し、その導管の吸気端から排気端へと空気を送って媒体配置板の貫通孔から空気を吸引することにより、媒体配置板の表に配置された記録媒体を媒体配置板に吸着させるファンと、
導管の排気端を開放して記録媒体の吸着を活かし、排気端を塞いで吸着を解くシャッタとを備えたことを特徴とする。
【００１１】
本発明の吸着装置によると、記録媒体を吸着する際には、導管の排気端が開放されて吸気端から排気端へと空気が送られ、記録媒体の吸着を解除する際には、導管の排気端が塞がれて吸気端から排気端への空気の流れが妨げられ、ファンの吸引力が低減される。したがって、ファンの回転が完全に停止していなくても、記録媒体の吸着をすばやく解除することができる。
【００１２】
また、本発明の吸着装置において、上記のシャッタが、開閉する扉であることが好ましい。
【００１３】
シャッタとして、排気端を開閉する扉を用いることによって、簡素な機構で記録媒体の吸着／吸着解除を行うことができる。
【００１４】
あるいは、本発明の吸着装置において、
「上記の導管が、排気端に、複数の排気孔が穿たれた穿孔板を有するものであり、
シャッタが、複数の排気孔それぞれに相応する複数の通気孔が穿たれて、穿孔板に沿って配置されたマスク板と、マスク板を該穿孔板に沿って移動させる移動機構とを有し、通気孔と排気孔とを揃えることによって排気端を開放し、通気孔と排気孔とをずらすことによって排気端を塞ぐものである」
という形態も好適である。
【００１５】
例えば、千鳥配置で複数の排気孔が穿たれた穿孔板と、複数の排気孔それぞれに相応する複数の通気孔が穿たれたマスク板とを用いる場合、マスク板を排気孔の１つ分だけスライドさせることによって排気端が塞がれる。このように、本発明の好適な吸着装置によると、記録媒体の吸着を解除するために必要なシャッタの移動距離を短縮することができ、装置全体を小型化することができる。
【００１６】
また、上記目的を達成する本発明の画像読取装置は、表から裏まで貫通した貫通孔が穿たれた、表にシート状の記録媒体が配置される媒体配置板と、
吸気端と排気端とを有して空気の流れを導く、媒体配置板の裏側に吸気端が接した導管と、
導管内に位置し、導管の吸気端から排気端へと空気を送って媒体配置板の貫通孔から空気を吸引することにより、媒体配置板の表に配置された記録媒体を媒体配置板に吸着させるファンと、
導管の排気端を開放して記録媒体の吸着を活かし、排気端を塞いで吸着を解くシャッタと、
媒体配置板に吸着された記録媒体上に記録された画像を読み取って、画像を表わす画像データを生成する画像読取部とを備えたことを特徴とする。
【００１７】
本発明の画像読取装置によると、記録媒体を媒体配置位置に確実に吸着させるとともに、吸着をすばやく解除することができ、記録媒体上の画像を読み取るまでの一連の処理時間を高速化することができる。
【００１８】
また、本発明の画像読取装置は、上記の基本形態の他に、本発明の吸着装置の各種態様に対応する各種態様の全てを含む。
【発明の効果】
【００１９】
本発明によれば、記録媒体を媒体配置位置に確実に吸着させるとともに、吸着をすばやく解除することができる吸着装置、および画像読取装置を提供することができる。
【発明を実施するための最良の形態】
【００２０】
以下、本発明の実施形態について説明する。
【００２１】
図１は、本発明の一実施形態が適用された画像読取装置の外観構成図である。
【００２２】
この画像読取装置１は、写真やポストカードなどといったシート状の記録媒体上に記録された画像を読み取って、その画像を表わす画像データを生成する装置であり、未スキャン媒体収納箱１０と、吸着装置２０と、表面読取装置３０と、裏面読取装置４０と、スキャン済媒体収納箱５０と、搬送装置６０と、それら各種要素を制御する制御部（図示しない）とを備えている。また、画像読取装置１には、生成された画像データに画像処理等を施す本体装置１０１と、画像データが表わす画像を表示するとともに、制御部に各種指示を与える操作子が設けられたモニタ１０２とで構成されたパーソナルコンピュータが接続されている。
【００２３】
まずは、画像読取装置１を構成する各種要素について説明する。
【００２４】
図１に示す搬送装置６０は、未スキャン媒体収納箱１０と吸着装置２０と裏面読取装置４０とスキャン済媒体収納箱５０の上を通って延びるガイドレール６１と、記録媒体を吸着して、未スキャン媒体収納箱１０と吸着装置２０との間、吸着装置２０と裏面読取装置４０の間、および裏面読取装置４０とスキャン済み媒体収納箱５０との間をそれぞれ移動する３つの搬送部６２を備えており、さらに、それら３つの搬送部６２は、記録媒体を吸着する吸着パット６２ａと、吸着パット６２ａを保持する伸縮自在な保持棒６２ｂをそれぞれ備えている。保持棒６２ｂが伸びることによって吸着パット６２ａが記録媒体上に移動されると、吸着パット６２ａは記録媒体を吸着する。続いて、保持棒６２ｂが吸着パット６２ａを保持したまま元の長さに縮むとともに、ガイドレール６１に沿って移動することによって、記録媒体が搬送される。
【００２５】
未スキャン媒体収納箱１０は、上部が開口した箱形状を有しており、画像が読み取られる前の記録媒体が、表面を上にして積み重ねられて収納されている。未スキャン媒体収納箱１０内に収納された記録媒体は、搬送部６２によって１枚ずつ取り出されて、吸着装置２０に搬送される。
【００２６】
吸着装置２０は、本発明の吸着装置の一実施形態が適用されたものであり、表面と裏面とを貫通する複数の貫通孔２３が穿たれた吸着板２１と、吸着板２１の裏側に設けられた吸引部２２とを備えている。吸着装置２０の構成の詳細は後述する。未スキャン媒体収納箱１０から搬送されてきた記録媒体は吸着板２１上に配置され、吸引部２２が貫通孔２３を介して空気を裏側から吸引することによって、その記録媒体が吸着板２１上に吸着される。また、この吸着装置２０は、未スキャン媒体収納箱１０から搬送されてくる記録媒体を受け取る受取位置と、受け取った記録媒体上の画像が表面読取装置３０によって読み取られる読取位置との間をレール３１に沿って移動する。記録媒体が吸着板２１上に吸着されると、吸着装置２０は、搬送レール３１に沿って表面読取装置３０の下の読取位置に移動する。
【００２７】
表面読取装置３０は、表面撮像部３２と、蛍光灯３３と、フレア防止板３４とを備えている。フレア防止板３４は、吸着装置２０上で記録媒体が配置される位置に相応する部分のみくり抜かれており、記録媒体からの反射光以外の光を遮る。吸着装置２０が読取位置に移動してくると、吸着装置２０に向けて蛍光灯３３によって白色光が照射され、吸着装置２０に吸着された記録媒体の表面で反射された光が表面撮像部３２によって読み取られて、記録媒体の表面上に記録された表面画像を表わす表面画像データが生成される。尚、記録媒体の表面には、通常は、撮影画像などといったカラー画像が記録されており、表面画像に関しては、高速な読み取りよりも高画質な読み取りが求められる。この例では、表面撮像部３２には、レンズと、単版のエリアＣＣＤと、ＲＧＢ３色のカラーフィルタと、それら３色のカラーフィルタを切り替えるターレットとが備えられており、ターレットによってフィルタを切り替えながら、ＲＧＢ各色ごとに画像の読み取りが行われる。表面読取装置を構成する要素としては、例えば、蛍光灯３３の替わりにＬＥＤを用いたり、単版のエリアＣＣＤと３色のカラーフィルタとターレットとの替わりに、３色の画像を一度で読み取ることができるカラーのエリアＣＣＤ等を用いるものであってもよい。この表面読取装置３０は、本発明の画像読取装置における画像読取部の一例にあたる。生成された表面画像データは、制御部（図示しない）を経由してパーソナルコンピュータの本体部１０１に送られる。表面画像が読み取られると、吸着装置２０は記録媒体の吸着を解除し、レール３１に沿って受取位置に移動する。この記録媒体の吸着解除方法については、吸着装置２０の構成と一緒に後で詳しく説明する。吸着が解除された記録媒体は、搬送部６２によって裏面読取部４０に搬送される。
【００２８】
裏面読取部４０には、記録媒体が配置される部分が透明なガラスで構成された配置台４１と、配置台４１の裏側に設けられた裏面用撮像部４２とが備えられている。この例では、表面用撮像部３２と同様の構成を有する裏面用撮像部４２が適用されている。搬送部６２によって搬送されてきた記録媒体が、搬送部６２によって配置台４１に押し付けられると、記録媒体の裏面に記録された裏面画像が裏面用撮像部４２によって読み取られる。ここで、記録媒体の裏面には、例えば、記録媒体の印刷紙種別を表わす記号や文字、プリント年月日などといった情報が記録されており、裏面画像に関しては、読み取りの画質よりも読み取り速度が求められる。したがって、裏面読取部４０の裏面用撮像部４２は、カラーのラインＣＣＤ等を用いて、ＲＧＢ３色の画像を一度に読み取るものであってもよい。裏面画像が読み取られて生成された裏面画像データは、制御部（図示しない）を経由してパーソナルコンピュータの本体部１０１に送られる。裏面画像が読み取られた記録媒体は、搬送部６２によって吸着されて、スキャン済媒体収納箱５０に搬送される。
【００２９】
スキャン済媒体収納箱５０も、未スキャン媒体収納箱１０と同様に、上部が開口した箱形状を有しており、搬送部６２によって搬送されてきた記録媒体が内部に積み重ねられて集積される。
【００３０】
以上のようにして記録媒体上の画像が読み取られて生成された表面画像データや裏面画像データは、本体部１０１からモニタ１０２に送られて、モニタ１０２で表示される。また、生成された表面画像データは、本体部１０１において所定の画像処理が施されたり、裏面画像データが示す各種情報が付加されて、ＣＤ−ＲＯＭなどに記憶される。
【００３１】
画像読取装置１は、基本的には以上のように構成されている。
【００３２】
ここで、画像読取装置１における本発明の吸着装置、および画像読取装置としての特徴は、吸着装置２０の構成と、吸着装置２０における記録媒体の吸着解除方法にあり、以下では、これらについて詳しく説明する。
【００３３】
まず、吸着装置２０の構成について説明する。
【００３４】
図２は、吸着装置を正面から見たときの断面図である。
【００３５】
吸着装置２０は、表側に記録媒体２００が配置される吸着板２１と、吸着板２１の裏側に設けられた、上面と片側面が開口した箱２２２とシロッコファン２２１とで構成される吸引部２２と、箱２２２の側面を開閉する扉２５０とを備えている。
【００３６】
吸着板２１は、貫通孔２３が穿たれていない非吸着領域２１１と、貫通孔２３が穿たれた吸着領域２１２とを有している。また、吸着板２１の裏側には、記録媒体２００が配置されたときに、その記録媒体２００の外側の貫通穴２３を塞ぐために使われるマスク３１１が備えられている。非吸着領域２１１およびマスク３１１は、余分な貫通孔２３を塞ぐことによって、シロッコファン２２１が貫通孔２３を介して空気を吸引する吸引力を記録媒体の縁の近傍に集中させるために設けられている。この貫通孔２３は、本発明にいう貫通孔の一例にあたり、吸着板２１は、本発明における媒体配置板の一例に相当する。
【００３７】
シロッコファン２２１を囲む箱２２２には、シロッコファン２２１によって空気が吸引される吸気口２２２ａと、吸引された空気が排気される排気口２２２ｂとが設けられている。この吸気口２２２ａは本発明にいう吸気端の一例にあたり、排気口２２２ｂは本発明にいう排気端の一例に相当する。また、シロッコファン２２１は本発明にいうファンの一例にあたり、箱２２２は、本発明にいう導管の一例に相当する。
【００３８】
扉２５０は、箱２２２の側面の排気口２２２ｂに相応する位置に配備されており、制御部（図示しない）からの指示を受けて開閉することによって、排気口２２２ｂを開放し、あるいは塞ぐ。扉２５０は吸着装置２０が記録媒体２００を吸着する際には開かれており、このとき排気口２２ｂは開放されている。この扉２５０は、本発明にいう扉の一例にあたる。
【００３９】
図３は、扉が開かれた状態における吸着装置の側面図である。
【００４０】
吸着装置２０の側面には、下部が回動自在に固定された扉２５０と、制御部からの指示を受けて駆動するモータ２６０と、モータ２６０の回転をアーム２６２に伝える回転機構２６１と、扉２５０を支持し、扉２５０を上下に開閉させるアーム２６２が備えられている。
【００４１】
図２（および図３）に示すように、扉２５０が開き、排気口２２２ｂが開放された状態でシロッコファン２２１が回転すると、マスク３１１によって塞がれていない貫通孔２３を介して、空気が吸気口２２２ａから排気口２２２ｂに流れ、記録媒体２００が吸着板２１上に吸着される。記録媒体２００が吸着されると、吸着装置２０は、図１に示す表面読取装置３０に向けて移動される。表面読取装置３０において、記録媒体２００上の画像が読み取られると、吸着装置２０は、記録媒体２００の吸着を解除する。
【００４２】
記録媒体２００の吸着を解除する方法としては、シロッコファン２２１の回転を停止させることが考えられる。しかし、シロッコファン２２１の電源を切っても、シロッコファン２２１の回転が完全に停止するまでには時間がかかってしまい、記録媒体２００の吸着をすぐに解除することができない。また、吸着を解除する毎にシロッコファン２２１を停止させると、次の記録媒体が搬送されてきたときに、その記録媒体を十分に吸着させるのに必要な回転数を得るまでにも時間がかかってしまうため、画像読取全体としての処理時間が増加してしまうという問題がある。本実施形態においては、記録媒体２００の吸着を解除する際には、扉２５０が閉じられて排気口２２２ｂが塞がれる。
【００４３】
図４は、扉が閉じられた状態における吸着装置の側面図である。
【００４４】
記録媒体２００の吸着を解除するときには、制御部（図示しない）からモータ２６０に扉２５０を閉じる方向に駆動する指示が与えられる。モータ２６０が駆動すると、その回転が回転機構を経てアーム２６２に伝わり、扉２５０が閉じられて、排気口２２２ｂが塞がれる。このとき、排気口２２２ｂから排出されるはずであった空気が、吸気口２２２ａから吸引される空気の流れを妨げ、記録媒体２００の吸着が解除される。
【００４５】
吸着装置２０が記録媒体２００の吸着を解除すると、吸着装置２０は、図１に示すレール３１に沿って受取位置（手前側）に移動される。尚、吸着装置２０が受取位置に移動されるまでの間に、記録媒体２００がずれてしまわないように、吸着を解除したときでも、若干の吸着力を保持しておくことが好ましい。この吸着力は、（記録媒体２００が動かないための最小吸着力）＜（扉２５０を閉じた状態における吸着力）＜（図１の搬送部６２が記録媒体２００を持上げるのに必要な力）であり、扉２５０を閉じた状態における吸着力は、扉２５０を開いた状態における吸着力の５０％以下（特に好ましくは、１０％程度）であることが好ましい。
【００４６】
このように、排気口２２２ｂを塞ぐ扉２５０を設けて、その扉２５０を開閉することよって、吸引手段としてシロッコファンを用いた場合であっても、記録媒体２００に対してすばやく吸着／吸着解除を行うことができる。
【００４７】
以上で本発明の第１実施形態の説明を終了し、続いて、本発明の第２実施形態の説明を行う。尚、重複を避けるため、以下では、第１実施形態との相違点に注目し、同じ要素については同じ符号を付して説明を省略する。
【００４８】
図５は、本実施形態の吸着装置を正面から見たときの断面図である。
【００４９】
吸着装置２０´は、図２に示す第１実施形態の吸着装置２０とほぼ同様の構成を有するが、吸着装置２０´には扉２５０が備えられていない。また、本実施形態の吸着装置２０´には、箱２２２の排出口２２２ｂに、複数の貫通孔４１１が穿たれた穿孔板４１０が設けられており、その穿孔板４１０に沿って、穿孔板４１０の複数の貫通孔４１１それぞれに相応する複数の貫通孔５１１が穿たれたマスク板５１０が設けられている。この穿孔板４１０は、本発明にいう穿孔板の一例にあたり、マスク板５１０は、本発明にいうマスク板の一例に相当する。通常は、マスク板５１０の複数の貫通孔５１１が穿孔板４１０の複数の貫通孔４１１と揃う位置に、マスク板５１０が配置されている。この状態でシロッコファン２２１が回転すると、吸着板２１の貫通孔２３を介して吸気口２２２ａから吸引された空気が排気口２２２ｂに流れ、その空気が穿孔板４１０の貫通孔４１１とマスク板５１０の貫通孔５１１とを通って排出されることにより、記録媒体２００が吸着板２１上に吸着される。
【００５０】
図６は、穿孔板の貫通孔と、マスク板の貫通孔とが揃った状態における吸着装置の側面図である。
【００５１】
本実施形態においては、穿孔板４１０に沿ってマスク板５１０が設けられており、そのマスク板５１０に、マスク板５１０を左右にスライドさせるソレノイド５２０が取り付けられている。また、この例では、穿孔板４１０とマスク板５１０には、孔径Ｗの複数の貫通孔４１１，５１１が、千鳥に配置されて穿たれている。記録媒体２００の吸着を解除する際には、制御部（図示しない）からの指示を受けてソレノイド５２０が駆動し、マスク板５１０を横方向に孔径Ｗだけ移動させる。
【００５２】
図７は、図６の状態からマスク板が孔径Ｗ移動したときの吸着装置の側面図である。
【００５３】
マスク板５１０が移動されることによって、穿孔板４１０の貫通孔４１１とマスク板５１０の貫通孔５１１の位置がずれて排気口２２２ｂ全体が塞がれ、記録媒体２００の吸着が解除される。
【００５４】
このように、貫通孔が穿たれた穿孔板４１０とマスク板５１０とを用いることにより、排気口２２２ｂを塞ぐためのマスク板５１０の移動距離を小さく抑えることができ、吸着装置２０、および画像読取装置１を小型化することができる。
【００５５】
ここで、上記では、シロッコファンで空気を吸引する例について説明したが、本発明にいうファンは、例えば、軸流ファンなどであってもよい。
【００５６】
また、上記では、画像が読み取られた後の記録媒体の吸着を解除した後に、吸着装置が読取位置から受取位置に移動される例について説明したが、本発明の吸着装置は、記録媒体を吸着したまま読取位置から受取位置に移動されて、受取位置で吸着を解除するものであってもよい。
【００５７】
また、上記では、吸着装置が読取位置と受取位置との間を移動する例について説明したが、本発明の画像読取装置は、ＣＣＤなどを含む画像読取装置が吸着装置に向けて移動してくるものであってもよい。
【００５８】
また、本発明の吸着装置、および画像形成装置は、媒体配置板の非吸着領域にセンサやマーキングなどを設けて、記録媒体が配置されたか否かを判定し、記録媒体を自動的に搬送するものであってもよい。また、記録媒体が配置されたか否かを判定する方法としては、他にも、ファンの回転数を検知して、回転数が上昇したときに記録媒体が配置されていると判定する方法などが考えられる。
【００５９】
また、上記では、本発明の吸着装置の一実施形態を画像読取装置に適用する例について説明したが、本発明の吸着装置は、画像読取装置への適用に限らず、シート状の記録媒体を吸着させる装置を用いる分野一般で適用され得る。
【図面の簡単な説明】
【００６０】
【図１】本発明の一実施形態が適用された画像読取装置の外観構成図である。
【図２】吸着装置を正面から見たときの断面図である。
【図３】扉が開かれた状態における吸着装置の側面図である。
【図４】扉が閉じられた状態における吸着装置の側面図である。
【図５】第２実施形態の吸着装置を正面から見たときの断面図である。
【図６】穿孔板の貫通孔と、マスク板の貫通孔とが揃った状態における吸着装置の側面図である。
【図７】図６の状態からマスク板が孔径Ｗ移動したときの吸着装置の側面図である。
【符号の説明】
【００６１】
１    画像読取装置
１０    未スキャン媒体収納箱
２０    吸着装置
２１    吸着板
２２    吸引部
２３    貫通孔
３０    表面読取装置
３１    レール
３２    表面撮像部
３３    蛍光灯
３４    フレア防止板
４０    裏面読取装置
４１    配置台
４２    裏面用撮像部
５０    スキャン済媒体収納箱
６０    搬送装置
６１    ガイドレール
６２    搬送部
６２    吸着パット
６２ｂ    保持棒
１０１    本体装置
１０２    モニタ
２００    記録媒体
２２２    箱
２２１    シロッコファン
２１１    非吸着領域
２１２    吸着領域
３００    ダクト
３１１    マスク
【図１】
2005239319.tif 000003
【図２】
2005239319.tif 000004
【図３】
2005239319.tif 000005
【図４】
2005239319.tif 000006
【図５】
2005239319.tif 000007
【図６】
2005239319.tif 000008
【図７】
2005239319.tif 000009